(57)【特許請求の範囲】
【請求項１】
Ｘ線透視撮影台（Ａ）の可動テーブル（３８）上に俯臥した被検者（Ｍ）の腹部圧迫用空気枕（１０）と、
その空気枕（１０）への空気給排源となるリニアー往復駆動ピストン式真空ポンプ（１２）と、
その真空ポンプ（１２）から導出された吐出管路（１３）の中途部に介挿された空気枕膨張用電磁弁（１９）と、
同じく真空ポンプ（１２）から導出された吸入管路（１４）の中途部に介挿された空気枕収縮用電磁弁（２０）と、
上記吐出管路（１３）と吸入管路（１４）との先端部を空気枕（１０）への延長給排管路（１１）に連通接続する三方型管継手（２３）と、
両電磁弁（１９）（２０）に対応する開閉スイッチ（３２）（３３）の一対を備えた操作盤（３０）とから成り、
撮影者が操作室（Ｒ２）からその操作盤（３０）の開閉スイッチ（３２）（３３）を択一的に開閉操作して、上記空気枕（１０）を遠隔的に膨張又は収縮させるように定めたことを特徴とするＸ線透視撮影用の被検者圧迫装置。
【請求項２】
空気枕膨張用電磁弁（１９）と空気枕収縮用電磁弁（２０）との一対を消音器（２１）（２２）付きの互いに同一製品として、相反する方向性に並列させると共に、
その両電磁弁（１９）（２０）と真空ポンプ（１２）並びに三方型の管継手（２３）を可搬式のアルミ合金製カバーケース（２４）に内蔵させたユニット体として、撮影室（Ｒ１）の内部へ設置使用することを特徴とする請求項１記載のＸ線透視撮影用の被検者圧迫装置。
【請求項３】
複数の空気枕収納袋（４２ａ）（４２ｂ）が区画形成された伸縮可能なマット（４１）を、Ｘ線透視撮影台（Ａ）の可動テーブル（３８）上へ固定状態に敷設する共に、
上記空気枕収納袋（４２ａ）（４２ｂ）の内部へ出し入れ自在に挿入セットされた空気枕（１０）が、そのマット（４１）上に俯臥した被検者（Ｍ）の腹部を圧迫し得るように定めたことを特徴とする請求項１記載のＸ線透視撮影用の被検者圧迫装置。
【請求項４】
延長給排管路（１１）の中途部を分岐配管して、その分岐した先端部へ複数の空気枕（１０ａ）（１０ｂ）を並列状態に連通接続すると共に、
上記中途分岐部へ介挿設置した方向切換えコック（４４）の切換え操作により、その複数の空気枕（１０ａ）（１０ｂ）を択一的に膨張又は収縮させるように定めたことを特徴とする請求項１記載のＸ線透視撮影用の被検者圧迫装置。
【発明の詳細な説明】
【技術分野】
【０００１】
本発明はＸ線透視撮影用の被検者圧迫装置に係り、殊更各種のＸ線透視撮影台へ自由自在に後付け汎用できるように工夫したものである。
【背景技術】
【０００２】
消化器官を診断するために使われるＸ線透視撮影用の被検者圧迫装置としては、既に特開平７−３２７９８０号が提案されており、この明細書段落〔００１０〕には「空気袋を被検者を載置するテーブル上のＸ線照射範囲中に取り付けておけば、被検者がテーブル面に腹部を向けて俯臥位にある場合でも、腹部を適度に押圧することが可能となる。」旨が記載されている点で、本発明に最も近似する公知発明であると言える。
【特許文献１】特開平７−３２７９８０号公報
【特許文献２】特開平８−１５０１３９号公報
【発明の開示】
【発明が解決しようとする課題】
【０００３】
ところが、そのテーブル（３）上に俯臥した被検者の腹部を圧迫するための具体的な構成は、上記公知発明に少しも開示されておらず、あくまでも文章だけの仮定的な抽象論であるに過ぎない。
【０００４】
その圧迫機構部（１）の具体的な構成としては図１〜３のように、上下移動可能な支持棒（１１）の先端部に付属する固定板（１２）の下面へ、金具（１４）により空気袋（１３）を取り付け固定して、テーブル（３）上に仰臥した被検者の腹部を上方から押圧するようになっているため、このままの構成にとどまる限り、テーブル（３）上に俯臥した被検者の腹部を圧迫することはできず、各種のＸ線透視撮影台へ自由自在に後付け汎用することも不可能である。
【０００５】
更に、上記公知発明の場合空気袋（１３）が図３に示唆された複数（合計９個）の空気室（ａ）〜（ｉ）を有しており、その「各空気室には圧縮空気を送り込んだり、排出したりする空気弁付きのホース（図示せず）が個別に取り付けられており、これらのホースは図示しない空気ポンプに接続されている。また、空気弁の操作は、診断術者が自在に操作できるように構成されている。」（明細書段落〔００１６〕）と記載されているが、その具体的な構成までは図解説明されておらず、やはり概念論の域を出ない。
【０００６】
つまり、空気袋（１３）における各空気室（ａ）〜（ｉ）の気密化された区画形成状態や、その各空気室（ａ）〜（ｉ）とこれらに共通する空気ポンプとの個別な接続配管系統、各ホースの空気弁を操作する電気制御系統、各空気室（ａ）〜（ｉ）の選択とその個別の空気給排制御方法などが、悉く当業者にとって不明であり、そのためか未だ実用化されるまでに至っていない。
【課題を解決するための手段】
【０００７】
本発明はこのような課題を解決するために、Ｘ線透視撮影用の被検者圧迫装置として、Ｘ線透視撮影台の可動テーブル上に俯臥した被検者の腹部圧迫用空気枕と、
【０００８】
その空気枕への空気給排源となるリニアー往復駆動ピストン式真空ポンプと、
【０００９】
その真空ポンプから導出された吐出管路の中途部に介挿された空気枕膨張用電磁弁と、
【００１０】
同じく真空ポンプから導出された吸入管路の中途部に介挿された空気枕収縮用電磁弁と、
【００１１】
上記吐出管路と吸入管路との先端部を空気枕への延長給排管路に連通接続する三方型管継手と、
【００１２】
両電磁弁に対応する開閉スイッチの一対を備えた操作盤とから成り、
【００１３】
撮影者が操作室からその操作盤の開閉スイッチを択一的に開閉操作して、上記空気枕を遠隔的に膨張又は収縮させるように定めたことを特徴とするものである。
【発明の効果】
【００１４】
本発明の請求項１に特定具体化された上記構成によれば、Ｘ線透視撮影台の可動テーブル上に俯臥した被検者の腹部を、その膨張される空気枕によって安全裡に圧迫することができ、各種のＸ線透視撮影台へ自由自在に後付け汎用し得る利便性がある。
【００１５】
しかも、その空気枕への空気給排源となる真空ポンプは、リニアーモーターでの往復駆動ピストン式として、作動音が静かであり、小型コンパクトに軽量化し得るほか、その吐出管路に介在する空気枕膨張用電磁弁と吸入管路に介在する空気枕収縮用電磁弁とが、これらに対応する各別な開閉スイッチの押圧操作によって開閉され、空気枕を膨張又は収縮させるようになっているため、その操作を極めて簡単に便利良く行なえ、特に優れた応答性能により空気枕の膨張度や、延いては造影剤層の厚みを正確に微調整できる効果がある。
【００１６】
又、請求項２の構成を採用するならば、真空ポンプから両電磁弁を経て三方型管継手までの配管系統を、小型コンパクトにユニット化することができ、消音効果や電磁波のカット効果に役立つほか、カバーケースを持ち運ぶことによって、撮影室内の希望個所へ自由自在に設置使用し得る効果もある。
【００１７】
更に、請求項３や請求項４の構成を採用するならば、複数の空気枕収納袋が区画形成されたマットの使用により、各種のＸ線透視撮影台へますます便利良く後付け汎用することができ、被検者の身長差にも対応し得る効果がある。
【発明を実施するための最良の形態】
【００１８】
以下、図面に基いて本発明の具体的構成を詳述すると、そのＸ線透視撮影用被検者圧迫装置の第１実施形態を示した図１〜１０において、（１０）はＸ線を透過し得るポリウレタンなどの合成樹脂やゴム、その他の伸縮材から例えば直径：約２５０mmの円形や、約２００mm×２５０mmの角形に作成された空気枕であり、これからは１本のフレキシブルチューブから成る延長給排管路（１１）が導出している。
【００１９】
他方、（１２）は上記空気枕（１０）への空気給排源となるリニアー往復駆動ピストン式真空ポンプであって、その詳細を図示省略してあるが、モーターと圧縮部との一体構造になったシリンダーの内部を、ピストン（可動鉄芯）だけが電磁石の吸引力とスプリングの復元力により、電源周波数に同期した回数のもとで往復運動する。
【００２０】
つまり、電磁力が働いて、可動鉄芯と一体のピストンがスプリングを圧縮し乍ら吸引された時、吸入弁からシリンダーの内部へ空気を吸入する一方、電磁力が切れ、上記圧縮されていたスプリングの復元力により、ピストンが押し戻された時、吐出弁からシリンダーの外部へ圧縮空気を吐出するようになっている。
【００２１】
因みに、このような真空ポンプ（１２）の好ましい仕様としては、吐出空気量が１分当り２５リットル、到達真空度が−６００mmHg、重量が５kgである。（１３）（１４）はその真空ポンプ（１２）のシリンダーから並列状態に導出された吐出管路と吸入管路との一対であり、何れもフレキシブルチューブから成る。
【００２２】
この点、図１では被検者圧迫装置の全体を展開状態として示しているが、上記真空ポンプ（１２）は図６〜８のようにアルミ合金から成る据付け台板（１５）の上面へ、防振用のゴム座（１６）を介して固定設置されている。（１７）はその据付け台板（１５）から真空ポンプ（１２）を囲む位置関係として、一体的に垂立された複数本の支柱であり、これらの上面には同じくアルミ合金の天板（１８）が組み付け固定されている。
【００２３】
（１９）は上記吐出管路（１３）の中途部に介挿された空気枕膨張用電磁弁、（２０）は上記吸入管路（１４）の中途部に介挿された空気枕収縮用電磁弁であり、これらは何れも消音器（２１）（２２）を備えた互いに同じ製品として、上記天板（１８）の上面へ相反する方向性の並列状態に取り付け固定されている。
【００２４】
そして、上記吐出管路（１３）並びに吸入管路（１４）の両先端部と、上記空気枕（１０）から導出する延長給排管路（１１）の先端部とが、三方型の管継手（２３）を介して連通接続されており、上記真空ポンプ（１２）の吐出作用による空気枕（１０）の膨張状態と、同じく真空ポンプ（１２）の吸入作用による空気枕（１０）の扁平な収縮状態とを得られるようになっている。
【００２５】
（２４）はアルミ合金から断面倒立Ｕ字型に造形されたカバーケースであって、その上面には把手（２５）が取り付けられている一方、同じくカバーケース（２４）の下端部が複数のビス（２６）を介して、上記台板（１５）へ組み付け固定されることにより、その台板（１５）上の真空ポンプ（１２）と両電磁弁（１９）（２０）並びに管継手（２３）を被覆している。
【００２６】
つまり、上記真空ポンプ（１２）から両電磁弁（１９）（２０）を経て三方型管継手（２３）までの配管系統が、共通のカバーケース（２４）に内蔵されたユニット体として、その全体を把手（２５）により持ち運ぶことができるようになっているのである。その場合、両電磁弁（１９）（２０）を図１から示唆されるように、台板（１５）への並列状態に固定設置して、上記カバーケース（２４）を背丈の低く扁平化しても良い。
【００２７】
（２７）は上記真空ポンプ（１２）と両電磁弁（１９）（２０）からのリード線（図示省略）を電気的に接続するコネクター、（２８）は上記した１本の延長給排管路（１１）を導通するための口金であり、その口金（２８）とコネクター（２７）との何れも上記カバーケース（２４）に嵌め付け固定されている。上記延長給排管路（１１）の中途部には着脱自在のカプラー（２９）を介挿設置することが好ましい。
【００２８】
更に、（３０）は上記コネクター（２７）に接続配線された操作盤であって、図２の制御回路に示すような電源スイッチ（３１）のほか、上記空気枕膨張用電磁弁（１９）の開閉スイッチ（３２）と空気枕収縮用電磁弁（２０）の開閉スイッチ（３３）とを具備しており、これらを択一的に押圧操作して、各電磁弁（１９）（２０）を開放する一方、その押圧操作手を離せば、各電磁弁（１９）（２０）が閉鎖するようになっている。（３４）はヒューズ、（３５）は電源コンセントへの差込み配線プラグである。
【００２９】
図９、１０は本発明に係る被検者圧迫装置の使用状態を示しており、（Ａ）は撮影室（Ｒ１）内に据え付けられた消化器官診断用のＸ線透視撮影台であって、Ｘ線管支持枠（３６）に支持されたＸ線管（３７）と、被検者（Ｍ）を載置する可動テーブル（３８）と、その可動テーブル（３８）を挟む如く、上記Ｘ線管（３７）と対向位置するイメージインテンシファイアー（３９）並びに脚台（４０）とを備えている。
【００３０】
但し、可動テーブル（３８）の上面にはマット（４１）が固定状態に敷設されており、そのマット（４１）上へ被検者（Ｍ）が俯臥位として載置するようになっている。マット（４１）は上記空気枕（１０）の膨張と収縮に追従し得る薄肉なゴムや合成樹脂などから成り、しかもこれには空気枕（１０）を収納し得る複数の空気枕収納袋（４２ａ）（４２ｂ）が、上記可動テーブル（３８）の長手方向に沿う並列状態として区画形成されている。
【００３１】
上記可動テーブル（３８）のマット（４１）上へ俯臥した被検者（Ｍ）に対しては、公知のようにＸ線透視撮影台（Ａ）のＸ線管（３７）からＸ線が照射され、その被検者（Ｍ）を透過したＸ線像は、イメージインテンシファイアー（３９）によって光学像に変換され、その光学像をＸ線テレビカメラにより撮影し、その映像が撮影室（Ｒ１）に隣接する操作室（Ｒ２）のテレビモニター（４３）へ、透視像として表示されるため、これを操作者が観察し乍ら、上記可動テーブル（３８）を作動制御することになる。
【００３２】
そこで、本発明を使用するに当っては、その真空ポンプ（１２）と両電磁弁（１９）（２０）並びに管継手（２３）がユニット体として内蔵されたカバーケース（２４）を、撮影室（Ｒ１）内の適当個所に設置して、これから導出配管された空気枕（１０）を上記マット（４１）における空気枕収納袋（４２ａ）（４２ｂ）の何れか一方へ、出し入れ自在に挿入セットする一方、操作盤（３０）を操作室（Ｒ２）内の操作しやすい個所に設置する。
【００３３】
その場合、マット（４１）の空気枕収納袋（４２ａ）（４２ｂ）は複数として、可動テーブル（３８）の長手方向に沿う並列状態にあるため、被検者（Ｍ）の身長に応じて、その空気枕収納袋（４２ａ）（４２ｂ）の何れか一方を選択使用することにより、空気枕（１０）を被検者（Ｍ）の消化器官に対応位置させる。
【００３４】
このような準備後、操作者が操作盤（３０）における電源スイッチ（３１）のほか、空気枕膨張用電磁弁（１９）の開閉スイッチ（３２）を押圧操作すれば、上記真空ポンプ（１２）の吐出管路（１３）から空気枕（１０）へ供給される圧縮空気により、空気枕（１０）が膨張して、被検者（Ｍ）の腹部を圧迫するため、その俯臥位にある被検者（Ｍ）の体重とも相俟ち、消化器官の造影剤（バリューム）が全体的に拡散した状態となり、その消化器官の正確な診断に役立つ。
【００３５】
その際、空気枕膨張用電磁弁（１９）の開閉スイッチ（３２）から押圧操作手を離せば、その電磁弁（１９）により圧縮空気の吐出管路（１３）が自づと閉鎖されて、上記空気枕（１０）の膨張度が停止する一方、これと別個な空気枕収縮用電磁弁（２０）の開閉スイッチ（３３）を同様に押圧操作すれば、その押圧操作時間だけ空気枕（１０）から真空ポンプ（１２）へ、上記空気が吸入され、その押圧操作手を離しても空気枕（１０）の収縮度が即刻停止するため、造影剤層の厚みを容易に正しく微調整することができ、その操作性と応答性に著しく優れる。
【００３６】
尚、操作盤（３０）における上記空気枕収縮用電磁弁（２０）の開閉スイッチ（３３）を押圧操作することにより、空気枕（１０）をすばやく扁平な収縮状態に復元できることは言うまでもない。
【００３７】
次に、図１１、１２は図１、１０と対応する本発明の第２実施形態を示しており、これでは上記延長給排管路（１１）における就中着脱可能なカプラー（２９）よりも先端側を分岐配管して、その分岐配管した先端部へ複数の空気枕（１０ａ）（１０ｂ）を並列状態に連通接続している。（４４）はその中途分岐部に介挿設置された方向切換えコックであり、これを操作者が切換え操作することによって、上記複数の空気枕（１０ａ）（１０ｂ）を択一的に膨張又は収縮させることができるようになっている。
【００３８】
つまり、上記マット（４１）に区画形成されている複数の空気枕収納袋（４２ａ）（４２ｂ）へ、その複数の空気枕（１０ａ）（１０ｂ）を予じめ悉く挿入セットしておき、上記可動テーブル（３８）上へ俯臥した被検者（Ｍ）の身長に応じて切換え操作することにより、その被検者（Ｍ）の消化器官と対応位置することになる空気枕（１０ａ）（１０ｂ）の１個だけを使用して、これを上記第１実施形態と同様に膨張又は収縮させるのである。
【００３９】
尚、図１１、１２の第２実施形態におけるその他の構成は上記第１実施形態と実質的に同一であるため、その図１１、１２に図１〜１０との対応符号を記入するにとどめて、その詳細な説明を省略する。
【００４０】
上記第１、２実施形態の何れにあっても、被検者（Ｍ）の腹部圧迫用空気枕（１０）（１０ａ）（１０ｂ）はマット（４１）に予じめ形成された空気枕収納袋（４２ａ）（４２ｂ）へ、出し入れ自在に挿入セットされるようになっている一方、その空気枕（１０）（１０ａ）（１０ｂ）への空気給排源となるリニアー往復駆動ピストン式真空ポンプ（１２）と、一対の電磁弁（１９）（２０）並びに三方型管継手（２３）は、可搬式のカバーケース（２４）に内蔵されたユニット体として、撮影室（Ｒ１）の内部へ設置されるようになっているため、各種のＸ線透視撮影台（Ａ）へ容易に後付け汎用することができ、上記空気枕（１０）（１０ａ）（１０ｂ）の膨張と収縮を操作者が操作室（Ｒ２）から遠隔操作し得る利便性もある。
【図面の簡単な説明】
【００４１】
【図１】本発明に係る被検者圧迫装置の第１実施形態を示す展開図である。
【図２】同じく圧迫装置の電気制御回路図である。
【図３】空気枕を抽出して示す斜面図である。
【図４】図３の４−４線に沿う拡大断面図である。
【図５】空気枕の膨張状態を示す断面図である。
【図６】真空ポンプと両電磁弁との組立ユニット状態を示す側断面図である。
【図７】図６の７−７線断面図である。
【図８】図６の８−８線断面図である。
【図９】圧迫装置の使用状態を示す説明図である。
【図１０】図９の要部拡大斜面図である。
【図１１】本発明に係る被検者圧迫装置の第２実施形態を示す図１に対応する展開図である。
【図１２】図１１の使用状態を示す図１０に対応する斜面図である。
【符号の説明】
【００４２】
（１０）（１０ａ）（１０ｂ）・空気枕
（１１）・延長給排管路
（１２）・真空ポンプ
（１３）・吐出管路
（１４）・吸入管路
（１５）・据付け台板
（１６）・ゴム座
（１７）・支柱
（１８）・天板
（１９）・膨張用電磁弁
（２０）・収縮用電磁弁
（２１）（２２）・消音器
（２３）・管継手
（２４）・カバーケース
（２５）・把手
（２９）・カプラー
（３０）・操作盤
（３１）・電源スイッチ
（３２）（３３）・開閉スイッチ
（３８）・可動テーブル
（４１）・マット
（４２ａ）（４２ｂ）・空気枕収納袋
（４４）・方向切換えコック
（Ａ）・Ｘ線透視撮影台
（Ｍ）・被検者
（Ｒ１）・撮影室
（Ｒ２）・操作室
【図１】
0003725531.tif 000002
【図２】
0003725531.tif 000003
【図３】
0003725531.tif 000004
【図４】
0003725531.tif 000005
【図５】
0003725531.tif 000006
【図６】
0003725531.tif 000007
【図７】
0003725531.tif 000008
【図８】
0003725531.tif 000009
【図９】
0003725531.tif 000010
【図１０】
0003725531.tif 000011
【図１１】
0003725531.tif 000012
【図１２】
0003725531.tif 000013